(57)【要約】【課題】端部の開放した円筒状のスカート部を有する容器におけるスカート部の形状及び端部の水平性を検査可能な容器検査治具を提供する。【解決手段】内容物が充填される本体部１０２と、本体部１０２から上方向に延びる円筒状の上スカート部１０１と、を有する樽１００における上スカート部１０１の形状を検査する容器検査治具１であって、上スカート部１０１に取り付けられる本体部２と、本体部２の底面に突出して設けられ、上スカート部１０１の直径方向の距離が上スカート部１０１の内径よりも短い凸部２１と、本体部２に対して軸線方向に移動可能に支持される筒状の胴部３２、及び上スカート部１０１と接触する先端部３１を有するピン３と、を備えた。【選択図】図１
2010060534.tif 000002
【特許請求の範囲】
【請求項１】
内容物が充填される充填部と、前記充填部から上方向に延びる円筒状のスカート部と、を有する容器における前記スカート部の形状を検査する容器検査治具であって、
前記スカート部に取り付けられる本体部と、
前記本体部の底面に突出して設けられ、前記スカート部の直径方向の距離が前記スカート部の内径よりも短い凸部と、
前記本体部に対して軸線方向に移動可能に支持される筒状の胴部、及び前記スカート部と接触する先端部を有する接触部材と、
を備えたことを特徴とする容器検査治具。
【請求項２】
前記凸部が円形で、その外径が前記容器の下端の外径と等しいことを特徴とする請求項１に記載の容器検査治具。
【請求項３】
前記先端部は、前記スカート部の円周方向の両側から中心に向かって傾斜しているテーパー形状を有していることを特徴とする請求項１又は２に記載の容器検査治具。
【請求項４】
前記先端部には、前記スカート部の円周方向に垂直な方向に広がる肩部が設けられていることを特徴とする請求項１〜３のいずれか一項に記載の容器検査治具。
【請求項５】
前記胴部には、前記本体部に対して下方向への前記接触部材の移動の有無を確認するマーク部が設けられていることを特徴とする請求項１〜４のいずれか一項に記載の容器検査治具。
【請求項６】
前記接触部材が複数設けられ、かつ等間隔に配置されていることを特徴とする請求項１〜５のいずれか一項に記載の容器検査治具。
【発明の詳細な説明】
【技術分野】
【０００１】
本発明は、ビール樽のスカート部等、端部の開放した円筒部を有する容器における円筒部の変形の有無を検査する容器検査治具に関する。
【背景技術】
【０００２】
検査対象物の外形を検出する装置として、回転する検査対象物に従動ローラを当接させて従動ローラの変位を測定することにより、検査対象物の円筒度及び真円度の検査をする装置（例えば、特許文献１参照）や、検査対象物に複数の当接体を当接させて検査対象物の概形状を求める装置（例えば、特許文献２参照）が知られている。
【特許文献１】特開２００７−４７０９７号公報
【特許文献２】特開２００４−２５１８３４号公報
【発明の開示】
【発明が解決しようとする課題】
【０００３】
安定して積み重ねたり、持ちやすくしたりするためにビール樽のように円筒状のスカート部が設けられた容器がある。このような容器のスカート部が変形すると、安定して積み重ねることができず、使用には不適当な容器となる。このため、スカート部が積み重ね可能な形状を有しているか否かを検査する必要がある。スカート部の機能を考慮すると、スカート部の形状の他、端部の水平性も検査しなければならないが、このような技術については上述の文献には開示がない。
【０００４】
そこで、本発明は端部の開放した円筒状のスカート部を有する容器におけるスカート部の形状及び端部の水平性を検査可能な容器検査治具を提供することを目的とする。
【課題を解決するための手段】
【０００５】
本発明の容器検査治具は、内容物が充填される充填部（１０２）と、前記充填部から上方向に延びる円筒状のスカート部（１０１）と、を有する容器（１００）における前記スカート部の形状を検査する容器検査治具（１）であって、前記スカート部に取り付けられる本体部（２）と、前記本体部の底面に突出して設けられ、前記スカート部の直径方向の距離が前記スカート部の内径よりも短い凸部（２１）と、前記本体部に対して軸線方向に移動可能に支持される筒状の胴部（３２）、及び前記スカート部と接触する先端部（３１）を有する接触部材（３）と、を備えたことにより上記課題を解決する。
【０００６】
本発明の容器検査治具によれば、容器のスカート部に本体部を取り付けることにより、その底部に設けられた凸部がスカート部に嵌め込まれる。スカート部が変形している等して凸部がスカート部に嵌らない場合は、不良の容器として区別される。凸部がスカート部に嵌め込まれて本体部が容器に取り付けられると、容器に対して本体部をスカート部の周方向に回転させる。これにより、スカート部の一部が変形している場合には、凸部が変形している部分に引っ掛かって回転できなくなるため、不良の容器として区別できる。また、回転時に接触部材が下方向に移動した場合は、スカート部に凹みが生じていて水平でないことがわかる。従って、スカート部の形状及び端部の水平性を同時に検査することができる。
【０００７】
本発明の容器検査治具の一形態において、前記凸部が円形で、その外径が前記容器の下端の外径と等しくてもよい。この形態によれば、凸部がスカート部に嵌らない場合には、スカート部が変形していて容器の積み重ねができないことが即座にわかる。従って、不良の容器を容易に区別できる。
【０００８】
本発明の容器検査治具の一形態において、前記先端部は、前記スカート部の円周方向の両側から中心に向かって傾斜しているテーパー形状を有していてもよい。この形態によれば、スカート部の上端に水抜き穴等が設けられていても、引っ掛かることなく検査することができる。
【０００９】
本発明の容器検査治具の一形態において、前記先端部には、前記スカート部の円周方向に垂直な方向に広がる肩部（３１ａ）が設けられていてもよい。この形態によれば、スカート部に対して接触可能な領域が広がるため、本体部の回転時に安定した接触が可能となる。従って、検査の安定性が向上する。
【００１０】
本発明の容器検査治具の一形態において、前記胴部には、前記本体部に対して下方向への前記接触部材の移動の有無を確認するマーク部（３４）が設けられていてもよい。この形態によれば、スカート部に凹みがあれば、胴部に設けられたマーク部が本体部に対して下方向に移動するので、作業者が容易に目視で確認することができる。
【００１１】
本発明の容器検査治具の一形態において、前記接触部材が複数設けられ、かつ等間隔に配置されていてもよい。この形態によれば、本体部を１回転させることなくスカート部の凹みを確認することができる。従って、作業者の負担を軽減することができる。
【００１２】
なお、以上の説明では本発明の理解を容易にするために添付図面の参照符号を括弧書きにて付記したが、それにより本発明が図示の形態に限定されるものではない。
【発明の効果】
【００１３】
以上、説明したように、本発明の容器検査治具においては、容器のスカート部に本体部を取り付けることにより、その底部に設けられた凸部がスカート部に嵌め込まれる。スカート部が変形している等して凸部がスカート部に嵌らない場合は、不良の容器として区別される。凸部がスカート部に嵌め込まれて本体部が容器に取り付けられると、容器に対して本体部をスカート部の周方向に回転させる。これにより、スカート部の一部が変形している場合には、凸部が変形している部分に引っ掛かって回転できなくなるため、不良の容器として区別できる。また、回転時に接触部材が下方向に移動した場合は、スカート部に凹みが生じていて水平でないことがわかる。従って、スカート部の形状及び端部の水平性を同時に検査することができる。
【発明を実施するための最良の形態】
【００１４】
図１は、本発明の一形態に係る容器検査治具を容器としての樽に取り付けた様子を示す斜視図である。容器検査治具１は、樽１００の上スカート部１０１に取り付けられて、スカート部としての上スカート部１０１の形状及び水平性を検査する。樽１００は、ビール製造工場で製造したビールを飲食店等へ流通させる際に使用されるもので、洗浄することにより複数回の使用が可能である。図８に樽１００の斜視図を示す。樽１００は、内容物としてのビールが充填される充填部としての本体部１０２と、本体部１０２から上方向に延びる円筒状の上スカート部１０１と、本体部１０２から下方向に延びる円筒状の下スカート部１０３とを有する。本体部１０２の上面及び底面は、それぞれ中央部が外側に凸となる球面で形成されている。本体部１０２の上面の中央には、口金１０２ａが設けられている。
【００１５】
上スカート部１０１には、円筒状の胴部１０１ａと、その胴部１０１ａを形成する部材が上端部にて全周に亘って内側に丸められたカール部１０２ｂとが設けられている。胴部１０１ａには、持ち手穴１０１ｃが設けられている。持ち手穴１０１ｃは、運搬時に作業者が手を掛けられるように胴部１０１ａに適宜設けられる。カール部１０１ｂの上端には、カール部１０１ｂ内部に溜まる水等を抜くための水抜き穴１０１ｄが複数設けられている。下スカート部１０３には、上スカート部１０１と同様にして、胴部１０３ａと、カール部１０３ｂとが設けられている。胴部１０３ａには、樽１００を積み重ねる際に上スカート部１０１のカール部１０１ｂにカール部１０３ｂが嵌まり込むように段差１０３ｃが設けられている。このため、カール部１０３ｂの外径は、上スカート部１０１のカール部１０１ｂの内径よりも若干小さい。樽１００はステンレス等の金属で形成されているため、衝撃が加えられて上スカート部１０１が変形すると、安定して積み重ねることができなくなる。
【００１６】
容器検査治具１は、円板状の本体部２と、本体部２に設けられて上スカート部１０１の水平性を検査するための複数の接触部材としてのピン３と、本体部２に取り付けられる取手４とを備えている。図２に本体部２の底面図、図３に図２のＩＩＩ−ＩＩＩ線に沿った断面図をそれぞれ示す。本体部２には、本体部２の底面に突出して設けられ、上スカート部１０１の直径方向の距離が上スカート部１０１の内径よりも短い凸部２１と、ピン３を取り付けるためのピン取付け穴２２と、取手４を取り付けるための取手取付け穴２３とが設けられている。凸部２１は、検査対象となる樽１００の上スカート部１０１に嵌まり込む大きさ、つまり、上スカート部１０１のカール部１０１ｂの内径よりも小さい外径を有するように形成されている。樽１００のカール部１０１ｂが円形の場合、凸部２１も円形となる。本来、上スカート部１０１には下スカート部１０３のカール部１０３ｂが嵌まり込んで積み重ねられるため、凸部２１の外径は、下スカート部１０３のカール部１０３ｂの外径と等しければよい。凸部２１の中心部には、樽１００の口金１０２ａとの接触を避けるため、円形の穴２４が設けられている。なお、穴２４は、必ずしも貫通していなくともよく、底面が凹んだ凹部のようになっていてもよい。
【００１７】
ピン取付け穴２２は、凸部２１の外側に設けられ、凸部２１を上スカート部１０１に嵌め込んだ際にカール部１０１ｂの上端と接触する位置に位置する。本形態では、４つのピン取付け穴２２が等間隔で設けられているが、ピン取付け穴２２の個数及び位置については適宜変更してよい。取手取付け穴２３は取手４を取り付ける適宜の位置に設けられ、取手取付け穴２３を介してねじ、ボルト等で取手４が固定される。取手４は、一例として、コの字型の形状を有し、２個の取手４が本体部２に取り付けられる。取手４は、本体部２の上面に限られず、例えば、本体部２の側面に設けられていてもよい。
【００１８】
図４にピン３の正面図、図５にピン３の底面図、図６にピン３の右側面図をそれぞれ示す。ピン３は、底面が前後に広がった逆Ｔ字状の部材である。ピン３は、上スカート部１０１のカール部１０１ｂと接触する先端部３１と、本体部２に対してピン３の軸線方向に移動可能に支持される円筒状の胴部３２とを有する。先端部３１は、本体部２の円周方向、つまり、樽１００の円周方向に垂直な方向に広がる肩部３１ａを有し、先端部３１の下端は胴部３２に対して両側へ広がっている。これにより、先端部３１とカール部１０１ｂとの接触が安定する。ピン３は本体部２に対して、先端部３１の下端が本体部２の底面よりも突出しない位置まで後退可能に設けられている。肩部３１ａは、上スカート部１０１の円周方向の両側から中心に向かって傾斜しているテーパー形状を有している。つまり、肩部３１ａの短手方向両側から中心に向かって傾斜するようにテーパーが形成されている。これにより、カール部１０１ｂに設けられた水抜き穴１０１ｄへのピン３の引っ掛かりが防止される。
【００１９】
胴部３２は、本体部２とピン３との回転を防止するキー溝３３と、カール部１０１ｂの水平性、つまり、本体部２に対して下方向へのピン３の移動の有無を確認するマーク部３４と、本体部２からピン３の抜けを防止するためセットボルト３５ａを取り付けるボルト取付け穴３５とを有する。キー溝３３は、胴部３２の軸線方向に延びるように設けられ、キー溝３３に嵌まり込む大きさのキー部材を胴部３２に対して一部突出するように嵌め込み可能である。キー部材の突出部分は、本体部２のピン取付け穴２２に設けられたキー溝２２ａに嵌め込み可能で、キー部材が、キー溝３３及びキー溝２２ａに嵌まり込むことで本体部２に対してピン３の回転が防止される。キー溝２２ａ、３３、及びキー部材を設ける位置、大きさ等は適宜変更してよい。あるいは、ピン３の胴部３２を多角形状にすることでピン３の回転を防止してもよい。マーク部３４は、本体部２のピン取付け穴２２の長さ分、ピン３の下端から上方向に向かった位置に設けられる。これにより、ピン３の下端が本体部２の底面より外側に出ていない場合は、マーク部３４が本体部２の上面より外側に出る。マーク部３４の太さは、許容できるカール部１０１ｂの凹みに応じて適宜設定される。ボルト取付け穴３５には、セットボルト３５ａが取り付けられて、本体部２からのピン３の抜けを防止する。
【００２０】
容器検査治具１による樽１００の上スカート部１０１の形状の検査手順を説明する。一例として、上スカート部１０１が変形した樽１００を補修した後に再度使用が可能か否かを検査する目的で容器検査治具１を使用する。あるいは、定期点検等、適宜使用してもよい。まず、容器検査治具１の凸部２１を検査対象の上スカート部１０１のカール部１０１ｂに嵌め込むようにして取り付ける。凸部２１は下スカート部１０３のカール部１０３ｂと同様の大きさに形成されているので、凸部２１がカール部１０１ｂに嵌るか否かにより、上スカート部１０１の形状が検査される。凸部２１がカール部１０１ｂに嵌らなかった場合、その樽１００は他の樽１００を積み重ねることができない不良の樽１００として区別される。
【００２１】
カール部１０１ｂに凸部２１が嵌め込まれて容器検査治具１が取り付けられた樽１００は、次に、カール部１０１ｂの水平性が検査される。樽１００に取り付けられた容器検査治具１を本体部２の円周方向に回転させる。図７に示すように、カール部１０１ｂが凹んでいるとその分ピン３が下がり、マーク部３４が本体部２に隠れて見えなくなる。本形態では、容器検査治具１にピン３が４本設けられているので、容器検査治具１を１回転させる必要はなく、１／４回転でカール部１０１ｂ全周が検査可能である。容器検査治具１を樽１００に取り付けて回転させたときに、全てのピン３のマーク部３４が目視で確認できれば、水平性も合格となる。一方、いずれか一本でもピン３のマーク部３４が本体部２に隠れた場合、不良の樽１００として区別される。あるいは、容器検査治具１を樽１００に取り付けて回転させたときに、途中で引っ掛かって回転不能になった場合も上スカート部１０１の形状が不良の樽１００として区別される。このように、樽１００に容器検査治具１を取り付けて回転させることにより、樽１００の上スカート部１０１の形状と、そのカール部１０１ｂの水平性とを同時に検査することができる。
【００２２】
本発明は、上述した形態に限定されることなく、種々の形態にて実施することができる。例えば、本形態では、本体部２を円板状として説明したがこれに限られない。例えば、長方形の板状であってもよい。上スカート部１０１の全体が覆われている必要はなく、上スカート部１０１のカール部１０１ｂに嵌め込み可能な凸部が設けられて、その凸部の上スカート部１０１の直径方向の距離が検査すべき所定の長さを有していればよい。このため、凸部も円形である必要はなく、凸部が複数設けられていてもよい。この場合においても、その凸部の上スカート部１０１の直径方向の距離が検査すべき所定の長さを有していればよい。本体部を回転させることにより、カール部１０１ｂの全周を検査することができる。回転時に引っ掛かりがあれば、不良の樽１００として区別される。
【００２３】
本体部２にピン３が４個設けられた例で説明したが、これに限られず、ピン３の個数及び設置される位置は適宜変更してよい。肩部３１ａは、胴部３２に対して両側に広がっている形態で説明したがこれに限られない。例えば、Ｌ字型のように片側のみ広がるような形状でもよい。あるいは、肩部３１ａはなくともよい。肩部３１ａの下端がテーパー形状の例で説明したが、これに限られない。例えば、肩部３１ａの下端が半筒状のように丸みを帯びた形状でもよいし、あるいは、平面状であってもよい。適宜変更してよい。また、容器は、下スカート部１０３が設けられている樽１００で説明したが、これに限られず、下スカート部１０３が設けられていない容器に対して使用してもよい。容器の底部が他の容器の上スカート部１０１に積み重ねられるように使用される容器であれば、容器検査治具１を使用して上スカート部１０１の形状を検査してもよい。
【図面の簡単な説明】
【００２４】
【図１】本発明の一形態に係る容器検査治具を樽に取り付けた様子を示す斜視図。
【図２】本体部の底面図。
【図３】図２のＩＩＩ−ＩＩＩ線に沿った断面図。
【図４】ピンの正面図。
【図５】ピンの底面図。
【図６】ピンの右側面図。
【図７】カール部の水平性の検査を説明する図。
【図８】樽の斜視図。
【符号の説明】
【００２５】
１  容器検査治具
２  本体部
３  ピン（接触部材）
２１  凸部
３１  先端部
３２  胴部
１００  樽（容器）
１０１  上スカート部（スカート部）
１０２  本体部（充填部）
【図１】
2010060534.tif 000003
【図２】
2010060534.tif 000004
【図３】
2010060534.tif 000005
【図４】
2010060534.tif 000006
【図５】
2010060534.tif 000007
【図６】
2010060534.tif 000008
【図７】
2010060534.tif 000009
【図８】
2010060534.tif 000010